(57)【要約】【課題】  無線通信における受信の待機に要する電力を低減する。【解決手段】  本発明の無線通信装置、無線通信方法、および無線通信システムでは、外部からの電波で駆動し、外部からの電波を受けて起動すると、起動した記録を履歴情報として記憶する回路から履歴情報を読み出すことで、読み出された履歴情報に応じた無線通信を行うことができ、待機電力を低減できる。【選択図】  図２
2013026699.tif 000002
【特許請求の範囲】
【請求項１】
外部からの電波で駆動し、外部からの電波を受けて起動すると、起動した記録を履歴情報として記憶する第１回路と、
電源と、
前記電源の電力で駆動し、前記履歴情報を読み出す第２回路とを備えることを特徴とする無線通信装置。
【請求項２】
請求項１に記載の無線通信装置において、
前記無線通信装置は複数の搬送波周波数の候補の内の一を選択して外部の無線通信機器と通信をし、
前記第１回路は前記候補の内のいずれの電波でも起動することを特徴とする無線通信装置。
【請求項３】
請求項１に記載の無線通信装置において、
前記履歴情報に応じて無線通信することを特徴とする無線通信装置。
【請求項４】
請求項１に記載の無線通信装置において、
前記無線通信装置は、前記第２回路が前記履歴情報を読み出した際に、前記履歴情報に前記第１回路が起動した記録がある場合には、外部からの電波の搬送波周波数を探索することを特徴とする無線通信装置。
【請求項５】
請求項１に記載の無線通信装置において、
前記第２回路は間欠的に前記履歴情報の読み出しを行い、
前記第２回路が前記履歴情報を読み出した際に、前記履歴情報に前記第１回路が起動した記録がある場合には、前記履歴情報に前記第１回路が起動した記録が無い場合に比べて、次回の前記履歴情報の読み出しまでの間の時間を長くすることを特徴とする無線通信装置。
【請求項６】
請求項１に記載の無線通信装置において、
前記第２回路は筐体内に設けられ、
前記第１回路は前記筐体に取り付けられる媒体に設けられていることを特徴とする無線通信装置。
【請求項７】
請求項６に記載の無線通信装置において、
前記筐体は携帯電話器の筐体であることを特徴とする無線通信装置。
【請求項８】
請求項６に記載の無線通信装置において、
前記媒体はＩＣカードであることを特徴とする無線通信装置。
【請求項９】
請求項１に記載の無線通信装置において、
前記電源は電池であることを特徴とする無線通信装置。
【請求項１０】
複数の搬送波周波数の候補の内の一の搬送波周波数で電波を送出して無線通信する基地局との無線通信方法であって、
メモリを有し、前記候補の内のいずれの搬送波周波数の電波でも駆動する回路が起動した際に、起動した記録を履歴情報として前記メモリに記憶する工程と、
前記メモリを参照して、前記回路が起動した記録が有る場合には、前記基地局を探索する工程とを有することを特徴とする無線通信方法。
【請求項１１】
請求項１０に記載の無線通信方法において、
前記探索を行う工程では、前記複数の搬送波周波数をスキャンすることを特徴とする無線通信方法。
【請求項１２】
請求項１０に記載の無線通信方法において、
前記メモリはフラッシュメモリであることを特徴とする無線通信方法。
【請求項１３】
複数の搬送波周波数の候補の内の一の搬送波周波数の電波を送出して無線通信する基地局と、
メモリを有し、前記候補の内のいずれの搬送波周波数の電波でも駆動し、前記基地局からの電波を受けて起動すると、起動した記録を履歴情報として前記メモリに記憶する第１回路、および前記メモリを参照して、前記第１回路が起動した記録が有る場合には、前記基地局を探索する第２回路を有する無線通信装置と、を有することを特徴とする無線通信システム。
【請求項１４】
請求項１３に記載の無線通信システムにおいて、
前記基地局は部屋に設置され、
前記基地局は前記部屋の予約情報を記憶するサーバに接続され、
前記基地局は前記無線通信装置に前記予約情報を送信することを特徴とする無線通信システム。
【請求項１５】
請求項１３に記載の無線通信システムにおいて、
前記基地局の位置情報を格納するデータベースを有し、
前記位置情報に基づいて、前記無線通信装置の位置を測定することを特徴とする無線通信システム。
【発明の詳細な説明】
【技術分野】
【０００１】
本発明は、無線通信技術に関し、特に無線通信装置の受信待機に要する電力の低減に関する。
【背景技術】
【０００２】
基地局と、無線通信装置とを有する無線通信システムとして、アクティブタグシステムがある。アクティブタグシステムは、無線通信装置であるアクティブタグと基地局の間で無線通信をするシステムであり、アクティブタグ側に電源があり、通信距離は一般的に数十メートルである。アクティブタグシステムでは、一般に、混信を防ぐために基地局毎に異なる搬送波周波数が用いられる。搬送波周波数はチャネルと呼ばれる。車両に搭載する無線通信装置において、運用される複数のチャネルの数に応じた受信手段を無線通信装置に備えるとコスト高になることを解決する、所定の検出時間毎に受信するチャネルを切替えて受信を待機する無線通信装置が知られている（特許文献１）。
【先行技術文献】
【特許文献】
【０００３】
【特許文献１】特開２０００−３０７５０６号公報
【発明の概要】
【発明が解決しようとする課題】
【０００４】
車両に搭載される無線通信装置の場合には、一般に車両から電力の供給を得ることができるので、受信の待機に要する電力の消費は問題にならない。しかしながら、人が携帯するアクティブタグのように、電池などの限られた容量の電源になる無線通信装置の場合などには、受信の待機に要する電力の消費が問題となる。
【課題を解決するための手段】
【０００５】
本発明の無線通信装置は、外部からの電波で駆動し、外部からの電波を受けて起動すると、起動した記録を履歴情報として記憶する第１回路と、電源と、前記電源の電力で駆動し、前記履歴情報を読み出す第２回路とを備える。
【０００６】
本発明の無線通信方法は、複数の搬送波周波数の候補の内の一の搬送波周波数で電波を送出して無線通信する基地局との無線通信方法であって、メモリを有し、候補の内のいずれの搬送波周波数の電波でも駆動する回路が起動した際に、起動した記録を履歴情報としてメモリに記憶する工程と、メモリを参照して、回路が起動した記録が有る場合には、基地局を探索する工程と、を有する。
【０００７】
本発明の無線通信システムは、複数の搬送波周波数の候補の内の一の搬送波周波数の電波を送出して無線通信する基地局と、メモリを有し、候補の内のいずれの搬送波周波数の電波でも駆動し、基地局からの電波を受けて起動すると、起動した記録を履歴情報としてメモリに記憶する第１回路、およびメモリを参照して、起動した記録が有る場合には、基地局を探索する第２回路を有する無線通信装置と、を有する。
【発明の効果】
【０００８】
本発明では、電池などの電源の電力に拠ることなく記録される履歴情報を利用するので、待機電力を低減することが可能となる。
【図面の簡単な説明】
【０００９】
【図１】本発明の無線通信システムの構成例を示す図である。
【図２】本発明の無線通信装置の構成例を示す図である。
【図３】本発明の無線通信装置における第１回路の構成例を示す図である。
【図４】本発明の無線通信装置における第１回路の動作の例を示す図である
【図５】本発明の無線通信装置の構成例を示す図である。
【図６】本発明の無線通信装置において、チャネルサーチの優先度を決定する手順の例を示す図である。
【図７】本発明の無線通信装置の例におけるメモリに記憶された通信履歴の一例を示す図である。
【図８】本発明の無線通信装置の構成例を示す図である。
【図９】入退室管理への適用例を示す図である。
【図１０】測位システムへの適用例を示す図である。
【発明を実施するための形態】
【００１０】
以下、本発明の実施の形態を図面に基づいて詳細に説明する。なお、実施の形態を説明するための全図において、同一の部材には原則として同一の符号を付し、その繰り返しの説明は省略する。
【実施例１】
【００１１】
図１に本発明の実施の形態の例として、無線通信システムであるアクティブタグシステム１００を示す。アクティブタグシステム１００では、複数の基地局１０１、１０２があり、基地局１０１、１０２は電波を送出して無線通信装置１０３や無線通信装置１０４と無線通信する。図１に示した例では、無線通信装置１０３が、基地局１０１から送出される電波に乗せて送信されるデータ１０５を受信する。また、他の無線通信装置１０４は、基地局１０２から送出される電波に乗せて送信されるデータ１０６を受信する。
【００１２】
ここで、基地局１０１と基地局１０２とが互いに近接して設置されている場合、無線通信装置１０３は、基地局１０１の送信するデータ１０５に加えて、基地局１０２から送出される電波を妨害波１０７として受信することになる。したがって、無線通信装置１０３が、妨害波１０７の影響によって、データ１０５を正しく受信出来ない可能性がある。
【００１３】
そこで、本実施例では、基地局１０１と基地局１０２のそれぞれが送出する電波の搬送波周波数（以降、チャネルという）には、それぞれ異なるチャネルを使用することで、受信誤りを防ぐ。すなわち、チャネルの候補は複数用意して、各基地局は複数のチャネルの候補の内のそれぞれ一のチャネルを使用する。本実施例では、９５０ＭＨｚ帯の内から各チャネルの周波数帯域を選ぶ。
【００１４】
したがって、無線通信装置１０３は、複数あるチャネル(例えば６チャネル)の中から、基地局１０１が送信するチャネルを探索（以降、チャネルサーチという）し、チャネルを選択することで、データ１０５を受信する。例えば、無線通信装置１０３は、無線通信装置１０３の受信回路を起動して、受信するチャネルを設定する。そして、無線通信装置１０３は、受信するチャネルを順次切替えて、基地局１０１の送信するデータ１０５を探索する。例えば、チャネル１乃至６の全部で６チャンネルある場合には、無線通信装置１０３は、チャネル１、チャネル２、チャネル３、チャネル４、チャネル５、チャネル６の順にスキャンしてチャネルサーチする。
【００１５】
図２に、無線通信装置１０３の例として無線通信装置２００を示した。図２に示すように、無線通信装置２００は、外部からの電波で電力を生成して駆動する第１回路２０１と、電源２０２と、電源２０２で駆動し、第１回路２０１と通信する第２回路２０３とを有する。
【００１６】
第１回路は、基地局１０１に使用されるチャネルの候補のいずれの周波数帯域でも、電力を生成して駆動する。すなわち、第１回路は、基地局１０１に使用されるチャネルの候補のいずれのチャネルでも駆動する。また、第１回路２０１にはメモリが備えられている。電源２０２には、例えば電池やキャパシタを用いることができる。本実施例では、電源２０２に電池を用いる。図２では、筐体内に第１回路２０１、電源２０２および第２回路２０３が含まれる例を示したが、実施例４にて後述するように、電源２０２および第２回路２０３は筐体の中に設けられ、第１回路２０１は該筐体に取り付けられているＩＣカードなどの媒体に設けられていても良い。
【００１７】
第１回路２０１の回路構成を、図３に示す。図３に示すように、第１回路２０１は、受信信号を整流する整流回路３０１と、整流回路３０１の出力の電力値を検出する電力検出回路３０２と、第１回路の起動の履歴情報などを記憶するメモリ３０３と、各回路に動作を命令する論理回路３０４と、後述するパッシブリーダライタ回路２０４からの信号を復調する復調回路３０５と、復調したデータに応じて論理回路３０４で生成された信号を送信する送信回路３０６と、アンテナ３０７とを備える。アンテナ３０７は例えばダイポールアンテナであり、本実施例の基地局が送出する９５０ＭＨｚ帯の電波を受け、また、９５０ＭＨｚ帯の電波を送出することができる。メモリ３０３には、例えばフラッシュメモリや相変化メモリなどの不揮発性メモリを用いる。
【００１８】
第２回路２０３は、第１回路２０１と無線通信するパッシブリーダライタ（以降、パッシブＲ／Ｗという）回路２０４と、外部の無線通信機器である基地局と無線通信するアクティブタグ回路２０５と、パッシブＲ／Ｗ回路２０４およびアクティブタグ回路２０５を制御する制御回路２０６とを有する。パッシブＲ／Ｗ回路２０４、アクティブタグ回路２０５、および制御回路２０６は電源２０２から電力の供給を受ける。電源２０２とアクティブタグ回路２０５とで、アクティブタグを構成している。すなわち、電源２０２とアクティブタグ回路２０５とで、数１０ｍ程度の長距離での、リーダライタとなる基地局との信号の送受信が可能なＩＣタグを構成している。また、パッシブＲ／Ｗ回路２０４は、９５０ＭＨｚ帯の電波を送出してリード動作、ライト動作を行う。パッシブＲ／Ｗ回路２０４が基地局と同じ周波数帯の電波を使用することで、第１回路２０１は、共通の回路で基地局からでも第２回路２０３からでも電力の供給を受けることができる。よって、安価に無線通信装置１０３を製造できる。
【００１９】
無線通信装置１０３と基地局１０１の基本的な通信手順では、基地局１０１がデータ１０５を送信し、第１回路２０１がデータ１０５、すなわち基地局１０１からの電波で起動して、第１回路２０１のメモリ３０３に、起動した履歴を履歴情報として記憶する。例えば、メモリ３０３の１ビットを利用して、起動前の初期値として”０”を記憶させておき、起動した履歴を”１”として履歴情報を記憶させる。
【００２０】
以下、基本通信手順における各回路の動作について、詳細を説明する。
【００２１】
第１回路２０１の動作を、図４に示す。図４に示すように、第１回路２０１は、受信信号を整流回路３０１で整流し、内部動作電力を生成する（ステップＳ１）。そして整流回路３０１の出力は、電力検出回路３０２と復調回路３０５へと送信される。その後、電力検出回路３０２が、受信信号の電力値を検出する。また復調回路３０５が、受信信号を復調する（ステップＳ２）。次に、論理回路３０４は、復調回路３０５の復調信号がパッシブＲ／Ｗ回路２０４からの送信信号であるか判断する（ステップＳ３）。
【００２２】
復調信号がパッシブＲ／Ｗ回路２０４からの送信信号であった場合、パッシブＲ／Ｗ回路２０４の送信信号に応じた処理を実施する（ステップＳ４）。例えば、メモリ３０３に記録されている履歴情報を要求する送信信号であれば、送信回路３０６が、アンテナ３０７を介して履歴情報を送信する。
【００２３】
復調信号がパッシブＲ／Ｗ回路２０４の送信信号で無い場合、第１回路２０１のメモリ３０３に履歴情報として「起動あり」と記憶する（ステップＳ６）。履歴情報を１ビットで記憶させているのであれば、初期状態の”０”から”１”への書き換えを行う。ここで、ステップＳ５を設けることで、電力検出回路３０２で検出された電力値が予め設定されている閾値より低い場合に、履歴情報に「起動あり」と記憶させない処理を行うこともできる。これにより、第１回路２０１を起動させるに足る電力よりも、さらに大きい電力が供給される電波状態の場合に無線通信装置１０３が無線通信を開始するように設定することも可能となり、例えば、基地局と無線通信装置１０３の間で通信させる距離を調整することが可能となる。また、ステップＳ５での閾値を例えば０とすれば、単に「起動あり」の履歴情報を記憶させることができる。
【００２４】
第２回路２０３では、制御回路２０６が、パッシブＲ／Ｗ回路２０４に対して、間欠的に（例えば数秒〜数分おきに）第１回路２０１のメモリ３０３に記憶されている上述の履歴情報の読取りを命令する。読取り命令を受けたパッシブＲ／Ｗ回路２０４は、第１回路２０１から履歴情報を読み取る。なお、履歴情報の読取り手順としては、例えば国際標準規格のＩＳＯ／ＩＥＣ１８０００−６Ｃに準拠した無線通信手順を用いる。
【００２５】
パッシブＲ／Ｗ回路２０４は、第１回路２０１から読み取った履歴情報を制御回路２０６に送信する。読み取った履歴情報が起動した履歴である”１”であった場合には、制御回路２０６は、アクティブタグ回路２０５に対して基地局との無線通信開始を命令する。命令を受けたアクティブタグ回路２０５は、アクティブタグ回路２０５に含まれる受信回路を起動してチャネルサーチを行うことで、基地局の探索を行う。
【００２６】
チャネルサーチによって基地局１０１が使用しているチャネルの同定に成功すると、アクティブタグ回路２０５は、同定したチャネルを選択してデータ１０５を受信する。また、制御回路２０６の制御によって、パッシブＲ／Ｗ回路２０４が、第１回路２０１のメモリ３０３の履歴情報をリセットする、すなわちメモリ３０３のビットを”０”に戻す。
【００２７】
一方、履歴情報が起動した履歴が無い状態を示す”０”であった場合には、制御回路２０６はアクティブタグ回路２０５に対して基地局との無線通信開始を命令しない。よって、チャネルサーチは行われない。このように、通信可能な基地局が無い場合に無線通信装置１０３の動作を制限し、無線通信装置１０３の待機電力を抑制することができる。
【００２８】
以上の工程を経て、無線通信装置１０３と基地局１０１の無線通信は終了する。
【００２９】
以上のように、本実施の形態の無線通信装置１０３は、基地局が送出する電波から生成した電力を利用することで、第１回路２０１を起動させ、起動の履歴を履歴情報としてメモリ３０３に残す。そして、無線通信装置１０３の第２回路２０３が、履歴情報を読み出す。無線通信装置１０３は、読み出された履歴情報に応じて無線通信を行う、すなわち、読み出された履歴情報に起動の履歴が含まれている場合に、アクティブタグ回路２０５に含まれる受信回路を起動して、基地局を探索し、基地局が送出する電波に乗せられているデータを受信する。
【００３０】
無線通信装置１０３は、アクティブタグ回路２０５の受信回路を常時起動しておかなくても、間欠動作で第１回路２０１の履歴情報から基地局の存在を確認でき、低消費電力での受信待機を実現できる。また、無線通信装置１０３は、無線通信装置１０３と基地局との間の距離が想定している距離の範囲外にある場合など、履歴情報に起動した履歴が無い場合に、チャネルサーチを行わないなど、動作を制限することができ、さらなる待機電力の抑制を可能としている。したがって、無線通信装置１０３の電力の消費、すなわち電源２０２の電池の消耗を防ぐことができる。
【実施例２】
【００３１】
図５は、実施例１の無線通信装置１０３の例として、さらにメモリ５００を追加した無線通信装置５０１を示す。メモリ５００には、アクティブタグ回路２０５の通信履歴が記録される。具体的には、アクティブタグ回路２０５が基地局１０１から受信したデータ１０５と受信チャネルの情報とが、制御回路２０６を介してメモリ５００に記憶される。
【００３２】
本発明の無線通信装置５０１と基地局１０１の無線通信手順は、基本的には実施例１の無線通信装置１０３と基地局１０１の無線通信手順と同じであるが、異なる点は、チャネルサーチにおける各チャネルのサーチの順をメモリ５００に記憶されている受信チャネルの情報に応じて変える点にある。
【００３３】
実施例１では、チャネルサーチの順の例として、チャネルが全部で６チャネルある場合には、チャネル１、チャネル２、チャネル３、チャネル４、チャネル５、チャネル６の順にチャネルサーチする順を示した。本実施例の無線通信装置５０１では、メモリ５００に記憶されている前回の通信の受信チャネルを、制御回路２０６を介してアクティブタグ回路２０５の受信回路が参照して、前回の通信の受信チャネルよりも他のチャネルが優先されるように、チャネルサーチの順が設定される。チャネルがチャネル１乃至６の全部で６チャネルある場合であって、前回の受信チャネルがチャネル２の場合には、チャネル２を最後にして、例えば、チャネル３、チャネル４、チャネル５、チャネル６、チャネル１、チャネル２の順にチャネルサーチがなされる。また、基地局１０１との通信があると、アクティブタグ回路２０５は、基地局１０１の送信したデータ１０５と受信チャネルの情報を、制御回路２０６を介してメモリ５００に記憶する。これにより、メモリ５００に記憶されている受信チャネルの情報は、通信の度に更新される。
【００３４】
以上、本実施例の無線通信装置５０１は、アクティブタグ回路２０５のチャネルサーチにおいて、メモリ５００に記憶されている前回の通信の受信チャネルを参照して、前回通信の受信チャネル以外のチャネルを優先してチャネルサーチする。よって、無線通信装置５０１が複数の基地局の送信データを受信できる位置に存在する場合、無線通信装置５０１が、連続して同一の基地局の送信データを受信しない様にすることが可能である。
【実施例３】
【００３５】
実施例１および実施例２では、複数の基地局が基地局毎に異なるチャネルを用いる場合を示したが、異なる基地局が同一チャネルを使用して送信時間の重ならない様にデータ送信する場合で、かつ、無線通信装置５０１が、連続して同じチャネルで、異なる基地局の送信データを受信する必要がある場合も存在する。
【００３６】
そこで、本実施例では、無線通信装置５０１において、アクティブタグ回路２０５のチャネルサーチの優先度を、メモリ５００に記憶されている受信チャネルだけでなく受信データも利用して、図６に示す手順で決定する。
【００３７】
図６に示すように、アクティブタグ回路２０５は、メモリ５００に記憶されている通信履歴を制御回路２０６を介して読み出す（ステップＳ６１）。そして、前回と前々回の受信チャネルが同一であるか否かを判断する（ステップＳ６２）。図７にメモリ５００に記憶されている通信履歴の一例を示す。図７に示すように、前回と前々回の受信チャネルが同一である場合、前回と前々回の受信データが同一であるか否かを判断する（ステップＳ６３）。そして、図７のように前回と前々回の受信データが異なる場合、前回の受信チャネルを優先してチャネルサーチする（ステップＳ６４）。例えば、図７の場合にチャネルが全部で６チャネルある場合、前回の受信チャネルがチャネル２なので、チャネル２を最初にし、例えば、チャネル２、チャネル３、チャネル４、チャネル５、チャネル６、チャネル１の順にチャネルサーチする。
【００３８】
また、ステップＳ６２の判断で前回と前々回の受信チャネルが異なる場合や、ステップＳ６３の判断で前回と前々回の受信データが同じ場合、前回の受信チャネル以外を優先してチャネルサーチする（ステップＳ６５）。
【００３９】
以上、本実施例では、メモリ５００に記憶された受信チャネルおよび受信データの通信履歴に基づいて、アクティブタグ回路２０５のチャネルサーチの優先度を決める。よって、異なる基地局が同一チャネルを使用して送信時間が重ならない様にデータを送信する場合に、無線通信装置５０１が、同一チャネルを使用する異なる基地局の送信データを連続して受信することが可能になる。
【実施例４】
【００４０】
本実施例では、電源２０２および第２回路２０３は筐体の中に設けられ、第１回路２０１は該筐体に取り付けられているＩＣカードなどの媒体に設けられている実施例を示す。この形態とすることで、既存の筐体やＩＣカードなどの媒体を利用して、本発明の無線通信装置を低コストで実現できる。
【００４１】
図８に、無線通信装置１０３の例として、第１回路２０１を、電源２０２および第２回路２０３を内蔵する筐体に取り付けられているＩＣカード８０１に設けている無線通信装置８０２を示す。第１回路２０１が筐体内に内蔵されず、筐体に取り付けられている点を除いては、実施例１乃至３と変わりないので、動作の説明は省略する。
【００４２】
なお、筐体への媒体の取り付けは、例えば、粘着剤による貼り付けで実現できる。また、筐体としては、図８に示すように携帯電話器の筐体を利用しても良い。さらに、携帯電話器の筐体を用いる場合には、アクティブタグ回路２０５に加えて、携帯電話器自体の無線通信機能も利用した無線通信システムを実現できる。
【実施例５】
【００４３】
本実施例では、本発明の無線通信システムを入退室管理に用いた例を示す。
【００４４】
図９に、入退室管理への適用例を示す。部屋９０１には基地局１０１を、部屋９０２には基地局１０２を設置する。それぞれの部屋の壁はそれぞれの基地局からの電波を遮蔽するものとする。また、基地局１０１および基地局１０２は、図示しないサーバに接続されている。サーバには、無線通信装置１０３を携帯する人物が各部屋を利用する時間の情報、例えば会議の開始と終了の時刻が保存されている。データ１０５には、部屋９０１の利用時間の情報が含まれる。
【００４５】
部屋９０１の入り口付近にいる人物９０３が携帯する無線通信装置１０３は、基地局１０１の送信するデータ１０５の送信を利用して第１回路２０１を起動させ、起動の履歴をメモリ３０３に残す。そして、無線通信装置１０３の第２回路２０３が、履歴情報を読み出す。その後、アクティブタグ回路２０５に含まれる受信回路が起動され、データ１０５が受信される。以上により、無線通信装置１０３は、データ１０５から、部屋９０１の利用時間の情報を得る。ここで、例えば実施例４に示した携帯電話器を利用した場合には、携帯電話器の表示画面に利用時間の情報を表示でき、無線通信装置１０３を携帯する人物は、会議の場所に予定通りに到着できているかどうかを確認できる。
【００４６】
一方、部屋９０１を退室した人物９０４が携帯する無線通信装置１０４は、部屋９０１の壁によって基地局１０１の送信データ１０５が遮断されるためにデータ１０５の受信はできない。ここで、無線通信装置１０４は無線通信装置１０３とは同型の装置であり、アクティブタグ回路２０５に記憶されているアクティブタグとしての識別番号が無線通信装置１０３とは異なるものとする。したがって、人物９０４が携帯する無線通信装置１０４では、第１回路２０１が起動されず、アクティブタグ回路２０５が休止されて，待機電力が抑えられる。よって、無線通信装置１０４の電力の消費、すなわち電源２０２の電池の消耗を防ぐことができる。
【００４７】
またここで、履歴情報を読み出した際に、第１回路２０１が起動された履歴が無い場合には、次に履歴情報を読み出すまでの間隔を例えば１０秒とし、第１回路２０１が起動された履歴がある場合には、次に履歴情報を読み出すまでの間隔をより長くし、例えば６０秒とすることで、本実施例のように会議の日時の情報のように頻繁には必要で無いデータを送受信する場合に、無線通信装置１０３が基地局と通信可能な場所にある場合の消費電力をさらに低減することができる。
【実施例６】
【００４８】
本実施例では、本発明の無線通信システムを測位に用いた例を示す。
【００４９】
図１０に、測位への適用例を示す。基地局１００１、１００２、１００３がそれぞれ配置され、図示しないサーバにはデータベースが設けられ、データベースには基地局１００１、１００２、１００３それぞれの位置が格納されている。本実施例では、基地局１００１、１００２、１００３のそれぞれの電波で無線通信装置１０３の第１回路２０１を起動できる距離を、それぞれ５ｍに設定する。それぞれの基地局が送信するデータにはそれぞれの基地局の情報が含まれる。
【００５０】
基地局１００１から５ｍ以内の範囲にいる人物１００４が携帯する無線通信装置１０３では、基地局１００１からの電波により第１回路２０１が起動され、起動の履歴がメモリ３０３に残る。そして、無線通信装置１０３の第２回路２０３が、履歴情報を読み出す。その後、アクティブタグ回路２０５に含まれる受信回路が起動され、基地局１００１からの送信データが受信される。以上により、無線通信装置１０３は、基地局１００１から５ｍ以内にあるという情報を得る。
【００５１】
ここで、例えば実施例４に示した携帯電話器を利用した場合には、携帯電話器の表示画面に情報を表示でき、無線通信装置１０３を携帯する人物１００４は、基地局１００１の付近にいることを確認できる。また、無線通信装置１０３は、基地局１００１、１００２、１００３の位置情報がデータベースに格納されているサーバに携帯電話回線を通じて接続して、基地局の位置の情報を取得し、現在位置を５ｍ程度の分解能で測位することができる。さらに高精度に測位するために、基地局１００１に加えて、基地局１００２、１００３の送信データをアクティブタグ回路２０５で受信し、各基地局の位置の情報と各基地局からの電波強度から無線通信装置１０３の位置を導出することもできる。携帯電話回線でサーバに接続をすることで、基地局とサーバの接続の配線の手間を省くことができ、低コストで測位システムを導入することができる。また、基地局自体に携帯電話回線に接続する機能を持たせることでも、アクティブタグ回路２０５から基地局を介してサーバに接続でき、かつ、基地局とサーバの接続の配線の手間を省くことができ、低コストで測位システムを導入することができる。本実施例のシステムは、特に、ＧＰＳの使用が困難な屋内での測位などに好適である。また、サーバのデータベースに、測定した無線通信装置１０３の位置を携帯電話回線を通じて格納することで、無線通信装置１０３の現在位置をサーバに接続して確認することもできる。
【００５２】
一方、各基地局１００１、１００２、１００３のいずれからも５ｍより離れた位置にいる人物１００５が携帯する無線通信装置１０４は、現在位置を測位可能なエリアにいない。ここで、無線通信装置１０４は無線通信装置１０３とは同型の装置であり、アクティブタグ回路２０５に記憶されているアクティブタグとしての識別番号が無線通信装置１０３とは異なるものとする。この場合、人物１００５が携帯する無線通信装置１０４では、第１回路２０１が起動されず、アクティブタグ回路２０５が休止されて，待機電力が抑えられる。したがって、無線通信装置１０４の電力の消費、すなわち電源２０２の電池の消耗を防ぐことができる。
【００５３】
以上、本発明者によってなされた発明を実施の形態に基づき具体的に説明したが、本発明は前記実施の形態に限定されるものではなく、その要旨を逸脱しない範囲で種々の変更が可能であることはいうまでもない。
【符号の説明】
【００５４】
１００…アクティブタグシステム、１０１、１０２…基地局、１０３、１０４…無線通信装置、１０５、１０６…データ、１０７…妨害波、２０１…第１回路、２０２…電源、２０３…第２回路、２０４…パッシブリーダライタ（パッシブＲ／Ｗ）回路、２０５…アクティブタグ回路、２０６…制御回路、３０１…整流回路、３０２…電力検出回路、３０３…メモリ、３０４…論理回路、３０５…復調回路、３０６…送信回路、３０７…アンテナ。
【図１】
2013026699.tif 000003
【図２】
2013026699.tif 000004
【図３】
2013026699.tif 000005
【図４】
2013026699.tif 000006
【図５】
2013026699.tif 000007
【図６】
2013026699.tif 000008
【図７】
2013026699.tif 000009
【図８】
2013026699.tif 000010
【図９】
2013026699.tif 000011
【図１０】
2013026699.tif 000012